(57)【要約】【課題】医療機関又は調剤薬局で消化される医薬品の時系列的な消化特性から医薬品の補充を自動化することができる医薬品における適正在庫管理方法及びその装置を提供することを目的とするものである。【解決手段】医薬品における適正在庫管方法及び装置では、医療機関又は調剤薬局で消化された各医薬品の消化データがインターネット２０を通して医薬品卸業務管理用のサーバー用コンピュータ１に入力され、コンピュータ１では、消化データの時系列消化データを作成し、この時系列消化データを医薬品の消化間隔と消化量とによって、複数の消化パターンに分類し、複数に分類された消化パターンから各医薬品の最適な補充パターンを選択し、医療機関又は調剤薬局に補充される医薬品の補充量とを算出して適正在庫を維持する。【選択図】    図２
2004284689.tif 000002
【特許請求の範囲】
【請求項１】
医薬品における適正在庫管方法であって、医療機関又は調剤薬局で消化された各医薬品の消化データを通信手段を通して医薬品卸業務管理用コンピュータに入力して該消化データの時系列消化データを作成し、該時系列消化データを、医薬品の消化間隔と消化量とによる複数の消化パターンに分類し、複数に分類された該消化パターンから各医薬品の最適な補充パターンを選択して該医療機関又は調剤薬局に補充される医薬品の補充量を算出し、算出された医薬品の補充量に基づいて、医薬品を補充し、適正在庫を維持するようにしたことを特徴とする医薬品における適正在庫管理方法。
【請求項２】
前記消化パターンが、消化量と消化間隔とに特徴を有しない第１のパターンと、消化量と消化間隔とが安定した第２のパターンと、２週に一回安定消化される第３のパターンと、４週に一回安定消化される第４のパターンと、消化量が週単位で上下に変動する第５のパターンと、消化量の変動が急峻である第６のパターンと、週単位で消化量が安定している第７のパターンと、過去最大消化量が常に略同じである第８のパターンであることを特徴とする請求項１に記載の医薬品における適正在庫管理方法。
【請求項３】
前記医薬品の消化データに基づく消化パターンが変化した場合、他の補充パターンに変更して、医薬品の補充量を設定することを特徴とする請求項１又は２に記載の医薬品における適正在庫管理方法。
【請求項４】
医薬品における適正在庫管理装置であって、医療機関又は調剤薬局で消化された医薬品の消化データが通信手段を通して医薬品卸業務管理用コンピュータに入力され、該医薬品卸業務管理用コンピュータは、医療機関又は調剤薬局で消化された医薬品の消化データを処理して時系列消化データを出力する消化傾向解析手段と、
該消化傾向解析手段による各医薬品の時系列消化データに基づいて、消化パターンを判定する消化パターン判定手段と、
該消化パターン判定手段による消化パターンに基づいて補充パターンを選択し、医薬品の補充量を算出する補充量算出手段とを備えたことを特徴とする医薬品における適正在庫管理装置。
【請求項５】
前記消化傾向解析手段により得られる新たな消化パターンが過去の消化パターンと異なる消化パターンであるとパターン変動判定手段により判定された場合、前記補充量算出手段は最新の消化パターンにより補充量を算出し、医薬品の適正在庫量を設定することを特徴とする請求項４に記載の医薬品における適正在庫管理装置。
【請求項６】
前記消化パターンに基づく補充量算出時の適正在庫には医薬品管理担当者の在庫に対する不安を解消する在庫量を加えることを特徴とする請求項５に記載の医薬品における適正在庫管理装置。
【請求項７】
前記消化パターン判定手段は、消化量と消化間隔とに特徴を有しない第１のパターンと、消化量と消化間隔とが安定した第２のパターンと、２週に一回安定消化される第３のパターンと、４週に一回安定消化される第４のパターンと、消化量が週単位で上下に変動する第５のパターンと、消化量の変動が急峻である第６のパターンと、週単位で消化量が安定している第７のパターンと、過去最大消化量が常に略同じである第８のパターンとの何れかに分類することを特徴とする請求項４から６の何れかに記載の医薬品における適正在庫管理装置。
【発明の詳細な説明】
【０００１】
【発明の属する技術分野】
本発明は、医療機関又は調剤薬局で消化された医薬品の消化特性（周期性，急激な変動等）を把握して、医薬品の補充を自動化することができる医薬品における適正在庫管理方法及びその装置に関するものである。
【０００２】
【従来の技術】
先に、本出願人は、従来の医薬品の営業形態を改善すべく、ＩＴ（Ｉｎｆｏｒｍａｔｉｏｎ  Ｔｅｃｈｎｏｌｏｇｙ）を駆使した医薬品卸業務形態を薬品卸業務管理システムとして提案した。このシステムは、非常に種類が多い医薬品の在庫管理を容易なものとすることができる。すなわち、従来、医療機関及び調剤薬局が行っている在庫管理で許容される一部の業務を医薬品卸業者が支援するシステムであって、卸業者が医療機関又は調剤薬局で消化された医薬品の払い出し情報を得て、欠品が発生しないように医薬品を補充し、かつ消化医薬品量を算出して請求額を決定するシステムであった（特許文献１参照）。
【０００３】
【特許文献１】
特開２００２−１４９８１９号（明細書全文、図面全図）
【０００４】
【発明が解決しようとする課題】
従来より医療機関及び調剤薬局が導入している在庫管理システムで適正在庫を維持するためには、過去の消化データを分析し、分析による発注点の変更が必要であり、結局、常に人間がシステムのメンテナンスをする必要があった。しかし、このメンテナンスには多大な労力が必要となり、在庫管理システムを導入している医療機関・調剤薬局でメンテナンスを完全に実施するのは難しいのが現状であった。多くの医療機関・調剤薬局では、１日１回の補充で欠品が発生しない在庫水準を維持できていないのが現状であり、１日２回〜３回の補充を要請される事例が多発していた。医療機関・調剤薬局にとっては頻繁に在庫確認を行うコスト、その都度、医薬品卸に発注し検品するコストが発生し、医薬品卸にとっても、突発的に発生する少量の発注を多頻度で補充する必要以上のコストが発生するという問題があった。このような問題点を解消するために、上記従来例の薬品卸業務管理システムが考え出されたが、各医薬品の適正在庫を維持する方法等に、未だ不十分な点があった。
【０００５】
本発明は、上述のような課題に鑑みてなされ、医療機関又は調剤薬局で消化される医薬品の時系列的な消化特性から医薬品の補充を自動化することで、医薬品の適正な在庫管理の達成に伴うコストの削減を同時に達成することができる医薬品の適正在庫管理方法及びその装置を提供することを目的とするものである。
【０００６】
【課題を解決するための手段】
本発明は、上記課題を達成したものであり、請求項１の発明は、医薬品における適正在庫管方法であって、医療機関又は調剤薬局で消化された各医薬品の消化データを通信手段を通して医薬品卸業務管理用コンピュータに入力して該消化データの時系列消化データを作成し、該時系列消化データを、医薬品の消化間隔と消化量とによる複数の消化パターンに分類し、複数に分類された該消化パターンから各医薬品の最適な補充パターンを選択して該医療機関又は調剤薬局に補充される医薬品の補充量を算出し、算出された医薬品の補充量に基づいて、医薬品を補充し、適正在庫を維持するようにしたことを特徴とする医薬品における適正在庫管理方法である。
【０００７】
請求項１の発明では、医療機関又は調剤薬局で消化された各医薬品の消化データが医薬品卸業務管理用コンピュータに通信手段（主にインターネット）を通して入力されており、医薬品卸業務管理用コンピュータは、消化データの時系列消化データを作成し、この時系列消化データを医薬品の消化間隔と消化量とによって、複数の消化パターンに分類し、複数に分類された消化パターンから各医薬品の最適な補充パターンを選択し、医療機関又は調剤薬局に補充される医薬品の補充量を算出して適正在庫を維持するようにした適正在庫管理方法であり、複数に分類された消化パターンには、消化間隔と消化量とに特徴を有しない医薬品をも分類する消化パターンが含まれており、各医薬品は、何れかの消化パターンに属し、医薬品の適正在庫を維持するための演算式により自動的に処理されて、補充量とが設定されるので、極めて種類の多い医薬品の一品毎の在庫管理が容易に実施できる作用を有する。
【０００８】
また、請求項２の発明は、前記消化パターンが、消化量と消化間隔とに特徴を有しない第１のパターンと、消化量と消化間隔とが安定した第２のパターンと、２週に一回安定消化される第３のパターンと、４週に一回安定消化される第４のパターンと、消化量が週単位で上下に変動する第５のパターンと、消化量の変動が急峻である第６のパターンと、週単位で消化量が安定している第７のパターンと、過去最大消化量が常に略同じである第８のパターンであることを特徴とする請求項１に記載の医薬品における適正在庫管理方法である。
【０００９】
請求項２の発明では、各医薬品の消化データを時系列的に整理した時系列的消化データを、各医薬品の消化傾向を判断するのに便利な複数の消化パターンにパターン化したものであり、各医薬品の消化傾向は第１〜第８のパターンに分類され、第１〜第８のパターンの消化パターンに基づいて、補充パターンが選択され、その補充パターンに対応する適正在庫を維持するための演算式が選択され、その演算式に基づいて、各医薬品を自動的に補充するための補充量が算出される作用を有する。
【００１０】
また、請求項３の発明は、前記医薬品の消化データに基づく消化パターンが変化した場合、他の補充パターンに変更して、医薬品の補充量を設定することを特徴とする請求項１又は２に記載の医薬品における適正在庫管理方法である。
【００１１】
請求項３の発明では、医薬品の消化パターンが変化した場合、最適な他の補充パターンに変更するようにして、新たな医薬品の補充量を他の演算式により設定し、適正在庫に維持する在庫管理方法であり、その際、適正在庫と現在在庫とを比較して補充の必要性を判断した後、医薬品の補充量を設定する。
【００１２】
また、請求項４の発明は、医薬品における適正在庫管理装置であって、医療機関又は調剤薬局で消化された医薬品の消化データが通信手段を通して医薬品卸業務管理用コンピュータに入力され、該医薬品卸業務管理用コンピュータは、医療機関又は調剤薬局で消化された医薬品の消化データを処理して時系列消化データを出力する消化傾向解析手段と、
該消化傾向解析手段による各医薬品の時系列消化データに基づいて、消化パターンを判定する消化パターン判定手段と、
該消化パターン判定手段による消化パターンに基づく補充量を算出する補充量算出手段とを備えたことを特徴とする医薬品における適正在庫管理装置である。
【００１３】
請求項４の発明では、医療機関又は調剤薬局で消化された医薬品の消化データが通信手段を通して医薬品卸業務管理用コンピュータに入力され、医薬品卸業務管理用コンピュータには、消化傾向解析手段と消化パターン判定手段と補充量算出手段とを備えている。消化傾向解析手段は、医療機関又は調剤薬局で消化された医薬品の消化データを処理して、時系列消化データを作成してパターン化する。消化パターン判定手段は、消化傾向解析手段によるパターン化された時系列消化データを、標本化された複数の消化パターンと比較して何れの消化パターンであるかを判定する。補充量算出手段は、選択された消化パターンに基づいて、各医薬品の適正在庫量を維持するための補充パターンを選択し補充量を算出する。なお、補充量の算出に際しては、適正在庫と現在在庫とを比較して、医薬品の補充が必要であるか否かがその都度判定される。また、上記通信手段は、代表例としてインターネットが例示できる。このような構成により、卸業者は、医療機関又は調剤薬局の消化データに基づいて、医薬品が補充される補充量を自動的に設定して、医薬品の適正在庫量が維持される。
【００１４】
また、請求項５の発明は、前記消化傾向解析手段により得られる新たな消化パターンが過去の消化パターンと異なる消化パターンであるとパターン変動判定手段により判定された場合、前記補充量算出手段は最新の消化パターンにより補充量を算出し、医薬品の適正在庫量を設定することを特徴とする請求項４に記載の医薬品における適正在庫管理装置である。
【００１５】
請求項５の発明では、消化傾向解析手段により得られる新たな消化パターンがパターン変動判定手段によって、過去の消化パターンと異なる消化パターンであると判定された場合、補充量算出手段は、最新の消化パターンに変更して、補充パターンを選択し補充量を設定することができ、自動的に適正在庫が維持できるように在庫管理ができる作用を有する。
【００１６】
また、請求項６の発明は、前記消化パターンに基づく補充量算出時の適正在庫には医薬品管理担当者の在庫に対する不安を解消する在庫量を加えることを特徴とする請求項５に記載の医薬品における適正在庫管理装置である。
【００１７】
請求項６の発明では、医薬品の適正在庫が在庫ゼロを目標とする工業製品等の在庫管理とは異なり、人命に関わる製品であるので、欠品が生じないように、常に必要な在庫を確保する必要があり、医療管理者の不安を解消するケア在庫量を加えた演算式によって、在庫量を適正在庫に維持できる作用を有する。なお、ケア在庫量とは、安全在庫とは異なり、医薬品管理者の心理的要因に起因する在庫量であって、医薬品の補充時点で、医薬品管理者が不安を感じないように加算される在庫量を意味している。
【００１８】
また、請求項７の発明は、前記消化パターン判定手段は、消化量と消化間隔とに特徴を有しない第１のパターンと、消化量と消化間隔とが安定した第２のパターンと、２週に一回安定消化される第３のパターンと、４週に一回安定消化される第４のパターンと、消化量が週単位で上下に変動する第５のパターンと、消化量の変動が急峻である第６のパターンと、週単位で消化量が安定している第７のパターンと、過去最大消化量が常に略同じである第８のパターンとの何れかに分類することを特徴とする請求項４から６の何れかに記載の医薬品における適正在庫管理装置である。
【００１９】
請求項７の発明では、時系列的消化データから抽出されたパターンを、消化パターン判定手段によって、分類して各医薬品の消化傾向を判定するものであり、代表的な第１〜第８のパターンを判定することができ、第１〜第８のパターンに基づいて、補充量算出式が選択され、各医薬品の補充量が自動的に設定できる作用を有する。
【００２０】
さらに、本発明では、少なくとも一年間の消化データを処理して、消化傾向解析手段により時系列消化データを作成すれば、消化量の変動が急峻である第６のパターン、すなわち、消化量が急激に変動する医薬品を分類することが可能であり、例えば花粉症等のアレルギー剤では、季節的要因により消化傾向が顕著なので、急激な消化が発生する前に補充することが可能である。
【００２１】
【発明の実施の形態】
以下、本発明に係る医薬品の適正在庫管理方法及びその装置の実施の形態について、図面を参照して説明する。なお、図１は、本実施形態を説明するためのブロック図、図２は、本実施形態の医薬品の適正在庫管理装置を説明するためのブロック図、図３（ａ），（ｂ）は、本実施形態の動作を説明するための処理フローを示す図、図４は、本実施形態における補充間隔、補充量を説明するための図である。
【００２２】
本実施形態の適正在庫管理装置は、図１に示したように、医薬品卸企業の卸業務用コンピュータシステム１０に含まれ、卸業務用コンピュータシステム１０は、インターネット２０を通して調剤薬局のコンピュータシステム３０及び／又は医療機関のコンピュータシステム４０と接続されている。調剤薬局或いは医療機関で消化された医薬品の消化データは、インターネット２０を通して卸業務コンピュータシステム１０に逐次入力され、卸業者は医薬品の消化データに基づいて、調剤薬局或いは医療機関に医薬品を自動的に補充し、消化された医薬品に対して請求書が発行される。
【００２３】
卸業務用コンピュータシステム１０は、図２に示したように、サーバ用コンピュータ１が、調剤薬局又は病院の消化データ記憶装置２と、調剤薬局又は病院の在庫データ記憶装置３等が接続されてＬＡＮを構成している。サーバ用コンピュータ１には、消化傾向解析手段１ａ、消化パターン判定手段１ｂ、補充量算出手段１ｃ、パターン変動判定手段１ｄ等が設けられている。一方、調剤薬局或いは医療機関のコンピュータシステム３０は、概ね、インターネット環境が整ったコンピュータ３１にモニター等の出力装置３２、キーボード等の入力装置３３、バーコードリーダ３４、記憶装置３５等が接続されている。
【００２４】
消化傾向解析手段１ａは、調剤薬局又は病院（以下、調剤薬局として説明する）で消化された医薬品の消化データに基づいて、消化傾向を解析するために時系列消化データを作成してパターン化する手段であり、例えば、調剤薬局で消化される医薬品の１日の消化量を日単位でプロットして時系列消化データが作成されてパターン化され、時系列消化データを下記のような複数の消化パターンに分類することができる。各医薬品は、消化傾向解析手段１ａにより作成された時系列消化データを第１〜第８のパターンに分類される。第１〜第８のパターンの内容は、下記表の通りである。
【００２５】
【表１】
2004284689.tif 000003
【００２６】
消化パターン判定手段１ｂは、医薬品の時系列消化データが入力されると、時系列消化データは、標本化された第１〜第８のパターンの比較データと比較され、その医薬品の消化データが何れの消化パターンに属するかが判定される。なお、消化パターンは、上述のように第１〜第８のパターンに分類され、医薬品の消化特性、すなわち消化間隔と消化量とから抽出されている。
【００２７】
補充量算出手段１ｃは、適正在庫が維持されるように医薬品の補充量を設定する手段であり、医薬品の補充量は、消化パターン判定手段１ｂにより設定された第１〜第８のパターンに基づいて、下記（１）式〜（８）式の演算式で算出される。その際、適正在庫と現在在庫とが比較され、次期補充期日に欠品が発生しないようになされている。すなわち、補充時点での適正在庫（予測量）Ａと補充時点での在庫量Ｂとが比較され、Ａ＞Ｂの関係であれば、補充が必要であると判断され、下記演算式で補充量が算出される。一方、Ａ＜Ｂの関係であれば、補充は必要なしと判断される。なお、補充時点とは、適正在庫を維持するために、医薬品が１日単位、週１又は２回といった週単位、又は月単位で周期的に繰り返される医薬品の補充期日である。
【００２８】
【数式１】
2004284689.tif 000004
【００２９】
なお、第６のパターンは、花粉症等のアレルギー剤が含まれる消化パターンであり、変動要因は、季節的要因が主であり、過去の消化傾向により、予め補充時期の前に補充する。補充量の算出式は（６）式が適用される。
【００３０】
また、安全在庫は、▲１▼週単位指数平滑値に一定係数を乗じた値、▲２▼日単位指数平滑値に補充日数を乗じ、さらに一定係数を乗じた値、▲３▼分析期間内の消化量と消化回数から算出した数値に一定係数を乗じた値であり、▲１▼から▲３▼の最適なものが選択される。また、予測消化量は、▲１▼移動平均値、▲２▼指数平滑値、▲３▼消化量と消化間隔とから算出した値の何れかが選択される。また、残在庫ケアは、医薬品管理者が要求する在庫量（ケア在庫量）であり、顧客の性格（心配性）によって任意に変更できる。
【００３１】
なお、（１）式〜（７）式の予測消化量が▲１▼移動平均値によって、算出される場合は、過去の何周期かの補充量を加算して平均補充量を算出し、次期補充日の予測消化量を算出する。また、▲２▼指数平滑値を適用するのが最適であれば、指数平滑法により予測消化量が算出される。なお、移動平均値と指数平滑値とを比較した場合、直近の消化傾向を最も反映した予測消化量は指数平滑値であり、消化量の変動が激しい医薬品に対しては、指数平滑値の値を利用するのが好ましい。また、移動平均法、指数平滑法による消化予測量の算出方法については、説明を省略する。
【００３２】
パターン変動判定手段１ｄは、例えば、突然の患者増減で医薬品の消化傾向が急激に変化する場合があり、このような状況に対応するために設けられており、また、他の要因としては、休暇が連続する場合等では、休暇の前に医薬品の消化量が増大して次の消化間隔が崩れるので、パターンの変動をすみやかに把握することができる。すなわち、パターン変動判定手段１ｄでは、消化パターン毎に予測している予測消化量と消化日を実際の消化量と消化日で比較することで消化パターンの変動を常時監視するとともに変動があった場合、すみやかに他の消化パターンとして認識する。
【００３３】
続いて、本実施形態の動作について、図３（ａ），（ｂ）及び図４を参照して説明する。本実施形態では、医薬品の補充量の決定に当たって、適正在庫と現在在庫とを比較して補充の必要性を判断し、かつ第１〜第８のパターンの何れのパターンに属する医薬品であるかが判定されると、（１）式〜（８）式の演算式を適用して、医薬品の補充量（予測消化量）を設定することができる。
【００３４】
先ず、図３（ａ）の処理フローに基づいて説明すると、サーバ用コンピュータ１では、ステップＳ１において、各調剤薬局で消化された医薬品の消化データが入力されて、消化データ記憶装置２に蓄積される。ステップＳ２において、消化データ記憶装置２に蓄積された各調剤薬局の消化データを読み出して、統計的な時系列消化データが作成されてパターン化される。ステップＳ３では、標本化されたパターンと比較して、第１〜第８のパターンの何れかのパターンに設定される。
【００３５】
図３（ｂ）では、ステップＳ４において、上記予測消化量、すなわち、▲１▼移動平均値、▲２▼指数平滑値、▲３▼消化量と消化間隔から算出した値のそれぞれの値と実績値とを比較し、最も差異の小さい予測法による予測値を次期予測値に設定する。ステップＳ５において、ステップＳ４にて決定した予測値を用いて上記補充パターンに対応する適正在庫を決定する。ステップＳ６において、ステップＳ５にて決定した適正在庫と在庫データ記憶装置３の現在在庫とを比較し、補充の必要性を判定する。
【００３６】
図４は、ある調剤薬局で１年間に消化される医薬品の消化実績と補充を図示したものである。同図において、横軸が年間の時間軸、縦軸が錠剤の数量である。同図中の棒グラフは医薬品の消化を表し、概ね２週間に一回・１００錠の錠剤が消化されており、ｔ０  〜ｔ５  は医薬品の補充時点を示し、医薬品は所定の補充間隔で、年６回の補充が行われている。なお、図４の消化パターンの消化傾向は、消化量と消化間隔が安定しているパターンであり、第２のパターンに属する。第２のパターンでは、適正在庫を予測消化量とし、安全在庫０，残在庫ケア０とすることができるので、余分な在庫を持つ必要がなくなる。
【００３７】
図４の消化間隔の変化から補充時点ｔ０  〜ｔ３  までの期間では、消化量と消化期間が安定している第２のパターンと決定して補充量が算出されている。すなわち、補充時点ｔ１  ，ｔ２  ，ｔ３    では、医薬品の補充Ｕ１  ，Ｕ２  ，Ｕ３  が、消化の直前に行われており、補充のタイミングを的確に捉えて医薬品の補充が行われている。一方、補充時点ｔ３  〜ｔ４  では消化間隔の変化があり、消化パターンが変化したために補充時点ｔ４  は医薬品の補充Ｕ４  の直前には行われずに、補充が行われている。しかし、補充時点ｔ４  〜ｔ５  では再び元の消化パターンに戻ったために、補充時点ｔ５  は医薬品の補充Ｕ５  の直前に行われている。なお、補充量は１箱５００錠のため、それぞれの補充で、５００錠在庫が増加する。このように、第２のパターンのような周期性を有する医薬品では、在庫がなくなる直前まで医薬品の補充を行わなくとも、適正在庫を維持することができる。
【００３８】
【発明の効果】
上述のように、本発明によれば、調剤薬局等への医薬品の補充量と補充間隔とが同時に自動的にコントロールできる利点がある。従来の医薬品の補充では最適な補充日を特定することができないので、現在庫では、次期消化時に在庫が不足するような状況（図４に示したＷ１  〜Ｗ４  の状況）を作り出すことができなかったが、本発明によれば、各医薬品の消化傾向をそれぞれ消化パターンに分類して、その周期が安定している場合には、次期消化時に在庫が不足する直前に、医薬品を補充することができるので、必要な時にのみ必要量の在庫を確保し得る利点がある。また、消化パターンの変化に対しても全て自動的に対応することができるので、人間によるシステムのメンテナンスの必要がなくなる利点がある。これは、従来の在庫管理システムとは決定的に異なっている点である。
【００３９】
また、本発明によれば、各医薬品の消化傾向を複数の消化パターンに分類し、自動的に医薬品の補充が可能な医薬品の消化パターンを選別し、その消化傾向に応じて、適正在庫を維持するための補充量を算出する演算式を選択し、常時過剰在庫を保有することなく、しかも欠品が発生することがない適正在庫管理装置を提供することができる利点がある。
【００４０】
また、本発明によれば、各医薬品の消化傾向をそれぞれ消化パターンに分類して、その周期が安定している場合には、適正在庫として安全在庫を考慮することなく、予測消化量を適正在庫と見なして、在庫管理ができる適正在庫管理装置を提供することができる利点がある。
【図面の簡単な説明】
【図１】本発明に係る医薬品の適正在庫管理方法及びその装置の実施形態を説明するためのブロック図である。
【図２】本実施形態の医薬品の適正在庫管理装置を説明するためのブロック図である。
【図３】（ａ），（ｂ）は、本実施形態の動作を説明するための処理フローを示す図である。
【図４】本実施形態における医薬品の補充間隔、補充量を説明するための図である。
【符号の説明】
１  サーバー用コンピュータ
１ａ  消化傾向解析手段
１ｂ  消化パターン判定手段
１ｃ  補充量算出手段
１ｄ  パターン変動判定手段
２  消化データ記憶装置
３  在庫データ記憶装置
１０  卸業務用コンピュータシステム
２０  インターネット
３０  調剤薬局のコンピュータシステム
４０  医療機関のコンピュータシステム
【図１】
2004284689.tif 000005
【図２】
2004284689.tif 000006
【図３】
2004284689.tif 000007
【図４】
2004284689.tif 000008